(57)【特許請求の範囲】
【請求項１】
ＡＬＣ製の野地板に少なくとも１条の凹溝が形成され、該凹溝の少なくとも１条に長尺の垂木部材が取り付けられ、該垂木部材に屋根板が固定された屋根構造において、
前記垂木部材は、その両側にそれぞれ長手方向に沿って長手方向の交差方向外向きに突出する鍔部が設けられ、且つ該鍔部と前記野地板との当接面から同垂木部材の下面までの高さ寸法が前記凹溝の深さ寸法よりも小さくなるように形成され、単体時には前記鍔部がその長手方向の交差方向外側に向かって徐々に下がるように傾斜して形成されており、自らの弾性変形によって前記鍔部の略下面全体を前記野地板の上面に当接させて前記凹溝内に収容されていることを特徴とするＡＬＣ板を用いた屋根構造。
【請求項２】
前記垂木部材の前記吊子を取り付ける吊子取付部の上面は、前記野地板に当接された前記鍔部の上面と同じレベルにあることを特徴とする請求項１記載のＡＬＣ板を用いた屋根構造。
【発明の詳細な説明】
【０００１】
【産業上の利用分野】
本発明は、ＡＬＣ（軽量気泡コンクリート）製の野地板を用いた屋根構造に関し、特に金属製屋根板の固定用の吊子を支持する垂木部材の野地板への取付構造に関する。
【０００２】
【従来の技術】
従来、ＡＬＣ製の野地板に金属製屋根板を吊子及び垂木部材を介して固定した屋根として、特開平５−２８７８５５号公報に記載された構造のものがある。
図５には、上記公報で開示された屋根構造における野地板１と垂木部材２との納まりが示されているが、同図に示すように、垂木部材２は、ウェブ部２ａとそのウェブ部２ａの両外側縁から垂下するフランジ部２ｂ，２ｂと各フランジ部２ｂ，２ｂの下端にて外側に屈曲されたリップ部２ｃ，２ｃとからなる断面略Ｍ字状をした長尺ものであり、野地板１の凹溝１ａ内にリップ部２ｃ，２ｃを溝底１ｂに当接させて収容されている。
【０００３】
【発明が解決しようとする課題】
しかしながら、上記特開平５−２８７８５５号公報に記載の屋根構造ではリップ部２ｃ，２ｃが溝底１ｂに当接していることにより、屋根板の荷重に加えて、施工時の作業者の歩行や工具等の落下などにより垂木部材２に衝撃荷重が加わった時に、リップ部２ｃ，２ｃを介してその荷重が溝底１ｂに集中してしまう。
そのため、他の箇所に比べて薄い、即ち強度の低い溝底１ｂにクラックが入ったり、或は貫通孔が生じたりするおそれがあった。
【０００４】
また、製造誤差により野地板１の上面とウェブ部２ａの上面との間にレベル差が生じ、それによって不都合が生じることがある。例えばウェブ部２ａの方が高く野地板１から垂木部材２が突出する場合には、その部分で屋根板が凸状になってしまい外観上好ましくない。また、ウェブ部２ａの方が低く垂木部材２が落ち込んでしまう場合には、その部分で屋根板がへこんでしまって好ましい外観が得られないだけでなく、野地板１と屋根板との間に介装される防水シートが破れるおそれがある。
【０００５】
この発明は、上記事情に鑑みなされたもので、その目的は、垂木部材に作用する荷重を分散させて野地板の溝底ヘの荷重集中を防ぐことにより、野地板の割れ等を防止することのできる屋根構造を提供することにある。
また、この発明の他の目的は、凹凸のない良好な屋根面を有する屋根が得られる屋根構造を提供することである。
【０００６】
【課題を解決するための手段】
上記目的を達成するために、請求項１記載の発明は、ＡＬＣ製の野地板に少なくとも１条の凹溝が形成され、該凹溝の少なくとも１条に長尺の垂木部材が取り付けられ、該垂木部材に屋根板が固定された屋根構造において、前記垂木部材は、その両側にそれぞれ長手方向に沿って長手方向の交差方向外向きに突出する鍔部が設けられ、且つ該鍔部と前記野地板との当接面から同垂木部材の下面までの高さ寸法が前記凹溝の深さ寸法よりも小さくなるように形成され、単体時には前記鍔部がその長手方向の交差方向外側に向かって徐々に下がるように傾斜して形成されており、自らの弾性変形によって前記鍔部の略下面全体を前記野地板の上面に当接させて前記凹溝内に収容されていることを特徴とするＡＬＣ板を用いた屋根構造である。
【０００７】
この発明において、請求項２記載の発明のように、前記垂木部材の吊子を取り付ける吊子取付部の上面は、前記野地板に当接された前記鍔部の上面と同じレベルにある。
【０００８】
【作用】
請求項１記載の発明によれば、垂木部材が、その両側にそれぞれ長手方向に沿って長手方向の交差方向外向きに突出する鍔部が設けられ、且つ該鍔部と野地板との当接面から同垂木部材の下面までの高さ寸法が野地板の凹溝の深さ寸法よりも小さくなるように形成され、単体時には前記鍔部がその長手方向の交差方向外側に向かって徐々に下がるように傾斜して形成されており、自らの弾性変形によって前記鍔部の略下面全体を前記野地板の上面に当接させて前記凹溝内に収容されているため、垂木部材に作用する屋根板の荷重やその他の荷重は、鍔部を介して野地板の凹溝以外の部分に分散されるので、凹溝の溝底に荷重が集中するのが防止される。
【０００９】
また、垂木部材は、単体時には鍔部が外側に向かって徐々に下がるように傾斜して形成されており、自らの弾性変形によって鍔部の略下面全体を野地板の上面に当接させて凹溝内に収容されているため、鍔部における荷重分散効果が顕著となる。
【００１０】
請求項２記載の発明によれば、垂木部材の吊子取付部の上面が、野地板に当接された鍔部の上面と同じレベルにあるため、垂木部材は野地板の上面から鍔部の板厚分だけ突出することとなるが、通常垂木部材は薄板により形成されるので、その板厚は屋根面に凹凸を生じさせるほどでなく、従って屋根面の凹凸により好ましい外観が得られない、或は防水シートが破れるなどの従来の欠点が解消される。
【００１１】
【実施例】
本発明に係る屋根構造の実施例を図１乃至図４に基づいて以下に説明する。
この屋根構造は、図２に示すように、ＡＬＣ製野地板１０の凹溝１１に垂木部材２０が取り付けられ、その垂木部材２０に係止された吊子３０を介して金属製の屋根板４０が固定された屋根構造において、図１に示すように、垂木部材２０の鍔部２１，２１の略下面全体が凹溝１１を挟む両側の縁上に当接されていることにより、垂木部材２０が凹溝１１内に収容されているものである。その際、垂木部材２０の下面から鍔部２１と野地板１０との当接面までの高さ寸法ｈが凹溝１１の深さ寸法Ｄよりも小さいため、垂木部材２０は凹溝１１の溝底１２との間に隙間を有して支持されている。また、垂木部材２０は、その溝部２２，２２においてドリルビス８０，８０により野地板１０及び野地板１０を支持する母屋等の下地材５０に止着されている。
【００１２】
野地板１０は、例えば厚さ５０ｍｍで、その略２分の１の厚さ位置に金属製のラス網（図１では省略した。）が補強用に埋め込まれた矩形状のＡＬＣ板であり、その中央位置には長手方向と平行に垂木部材２０を取り付けるための凹溝１１が例えば１条形成されている（図２参照）。その凹溝１１の深さ寸法Ｄは例えば１１〜１２ｍｍであり、溝幅寸法Ｗは例えば９０ｍｍ程度である。なお、１枚の野地板１０に凹溝１１を平行に複数条設け、その中から適宜選択して垂木部材２０を取り付けるようにしてもよい。
【００１３】
垂木部材２０は、図３に示すように、例えば厚さ１．６ｍｍの亜鉛処理鋼板を断面略Ｗ字状に屈曲形成した長尺ものであり、その長手方向に沿って両側に上述した鍔部２１，２１が設けられ、それら鍔部２１，２１の内側に上述した溝部２２，２２が設けられ、さらにそれら溝部２２，２２の間に吊子取付部２３が設けられている。
【００１４】
鍔部２１は、単体時にはその基端から先端に向かって、即ち垂木部材２０の長手方向の交差方向外側に向かって徐々に下がるように傾斜している。鍔部２１の基端と先端とのレベル差ａは例えば０．５ｍｍ程度である。この鍔部２１は、屋根葺きがなされて垂木部材２０に屋根板４０の荷重等が加わった状態では先端側が押し上げられて上述の如くその略下面全体が野地板１０の上面に当接するように弾性変形する。従って、弾性変形した垂木部材２０に作用する弾性復帰力により、屋根板４０の荷重が鍔部２１にて効率良く分散されることとなる。
【００１５】
吊子取付部２３は、鍔部２１の基端と同じレベルに位置している。つまり、屋根荷重等により垂木部材２０が弾性変形した状態では、吊子取付部２３の上面と鍔部２１の上面とが同一面となる。また、吊子取付部２３の、屋根の軒棟方向に並ぶ屋根板４０，４０，…の相互の係合部４２（図２参照）に対応する箇所には一対の切起こし片２４，２４が設けられていて、吊子３０が係止される。
【００１６】
溝部２２は、鍔部２１及び吊子取付部２３よりも上記高さ寸法ｈだけ低くなっており、ドリルビス８０の頭部８１を収容可能に形成されている。その高さ寸法ｈは例えば１０ｍｍである。また、溝部２２の中央にはその長手方向に沿って、ドリルビス８０の打込み時にその先端が逃げないように案内するガイド溝２５が設けられている。このガイド溝２５は、垂木部材２０が屋根荷重等により野地板１０に押し付けられた時にガイド溝２５の下面が凹溝１１の溝底１２に丁度当接するか、或は全く当接しない程度の深さである。従って、垂木部材２０は凹溝１１の溝底１２に殆ど接触していない状態となるので、垂木部材２０に加わる荷重は、鍔部２１，２１により野地板１０の凹溝１１以外の部分にも分散されて作用することになる。
【００１７】
ここで、鍔部２１，２１の各基端間の幅寸法ｂは上記野地板１０の溝幅寸法Ｗよりも小さく、例えば７９〜８０ｍｍ程度である。
【００１８】
垂木部材２０は、上述したように、一方の鍔部２１の基端から下向きに屈曲して一方の溝部２２の底部に至り、その底板部を経て上向きに屈曲して吊子取付部２３の一側縁に至り、さらに吊子取付部２３の他側縁から再び下向きに屈曲して他方の溝部２２の底部に至り、その底板部を経て再び上向きに屈曲して他方の鍔部２１に至る形状であるため、溝部２２，２２の各底板部及び吊子取付部２３はウェブとして機能し、また溝部２２，２２の底板部から立ち上がる各側板部はフランジとして機能している。
【００１９】
前記吊子３０は、図２に示すように、垂木部材２０の切起こし片２４に係止されて垂木部材２０に固定され、屋根の上下方向に隣接する屋根板４０，４０の係合部４２を取付けることにより屋根板４０を固定する。
なお、前記吊子３０を用いずに前記垂木部材２０に直接的に屋根板４０，４０を固定してもよい。
【００２０】
なお、図２において６０はアスファルトルーフィング等の防水シート、７０は隣接する屋根板４０，４０同士を連結する継手、７１は連結部を被う継手カバーである。
【００２１】
上記構成の屋根は以下のようにして施工される。
先ず、凹溝１１を設けた野地板１０，１０，…を、その凹溝１１が屋根の軒棟方向に沿うように母屋等の下地材５０上に敷き並べて下地材５０に固定する。
次に、凹溝１１内に垂木部材２０をその溝部２２側から落とし込み、凹溝１１を挟む両側の縁に鍔部２１，２１をそれぞれ当接させる。そして、ガイド溝２５，２５の案内によりドリルビス８０，８０を打ち込み、垂木部材２０を野地板１０と下地材５０に固定する。その際、野地板１０の上面に鍔部２１，２１が当接した状態が保たれるように注意する。
次に、その上全面に防水シート６０を敷き、ついで、前記吊子３０を垂木部材２０に切起こし片２４により固定し、屋根板４０の係合部４２を前記吊子３０に固定することにより、屋根が葺き上がる。
尚、防水シート６０は垂木部材２０の敷設以前に、予め野地板１０と一体化しておいてもよい。
【００２２】
上記実施例によれば、垂木部材２０が、その溝部２２，２２においてドリルビス８０，８０により野地板１０に固定されているとともに、鍔部２１，２１が凹溝１１を挟む両側の縁上に当接されていることにより支持されているので、垂木部材２０に作用する屋根板４０の荷重やその他の荷重は、鍔部２１，２１を介して野地板１０の凹溝１１以外の部分にも分散されるので、凹溝１１の溝底１２に荷重が集中するのが防止され、それによって野地板１０に割れ等が発生するのが防止される。また、吊子取付部２３の上面と鍔部２１の上面とが同一レベルにあるため、野地板１０の上面からは鍔部２１及び吊子取付部２３の板厚分が突出するだけであり、しかもその板厚は屋根面の凹凸に影響を及ぼさない程度に十分に薄いので、屋根面の凹凸により好ましい外観が得られない、或は防水シートが破れるなどの従来の欠点が解消される。
【００２３】
なお、野地板１０及び垂木部材２０は、上記実施例の形状や寸法などに限らず、凹溝１１の深さ寸法Ｄよりも垂木部材２０の高さ寸法ｈが小さければ、種々変更可能であるのは勿論である。
【００２４】
また、上記実施例においては、本発明を横葺き屋根に適用した場合について説明したが、本発明は図４に示す縦葺きの屋根にも適用可能である。その場合、同図に示すように、屋根の軒棟方向に交差する方向に架け渡された母屋等の下地材５１上に縦母屋等の下地材５５が屋根の軒棟方向に架け渡され、その上に上記構成の野地板１０が、その凹溝１１を屋根の軒棟方向に交差する方向に沿うようにして敷き並べられている。そして、凹溝１１内には上記垂木部材２０が取り付けられており、上記吊子３０と同様の吊子（図には表れていない。）により防水シート６０を介して屋根板４１がその長辺を屋根の軒棟方向に沿わせて敷設された構造となっている。
ここで、上述した横葺き屋根の場合と同様に、垂木部材２０の下面から鍔部２１と野地板１０との当接面までの高さ寸法（ｈ）は凹溝１１の深さ寸法（Ｄ）よりも小さくなっている。
【００２５】
さらに、本発明は、屋根以外にも、屋根板４０の代わりに周知の壁面板を用いることにより建築物の外壁などの構造にも応用することができる。
【００２６】
【発明の効果】
請求項１記載の発明によれば、垂木部材に作用する屋根板の荷重やその他の荷重は、鍔部を介して野地板の凹溝以外の部分に分散されるので、凹溝の溝底に荷重が集中するのが防止される。
【００２７】
また垂木部材は、単体時には鍔部が外側に向かって徐々に下がるように傾斜して形成されており、自らの弾性変形によって鍔部の略下面全体を野地板の上面に当接させて凹溝内に収容されているため、鍔部における荷重分散効果が顕著となる。
【００２８】
請求項２記載の発明によれば、垂木部材の吊子取付部の上面が、野地板に当接された鍔部の上面と同じレベルにあるため、垂木部材は野地板の上面から鍔部の板厚分だけ突出することとなるが、通常垂木部材は薄板により形成されるので、その板厚は屋根面に凹凸を生じさせるほどでなく、従って屋根面の凹凸により好ましい外観が得られない、或は防水シートが破れるなどの従来の欠点が解消される。
【図面の簡単な説明】
【図１】本発明に係る屋根構造における垂木部材と野地板との納まりの一例を示す要部縦断面図である。
【図２】本発明に係る屋根構造の一例を一部を切り欠いて示す部分拡大斜視図である。
【図３】本発明に係る屋根構造で使用される垂木部材の端面形状の一例を示す端面図である。
【図４】本発明に係る屋根構造の他の例を一部を切り欠いて示す部分拡大斜視図である。
【図５】従来の屋根構造における垂木部材と野地板との納まりを示す要部斜視図である。
【符号の説明】
１  １０  野地板
１ａ  １１  凹溝
１ｂ  １２  溝底
２  ２０  ２０Ａ  ２０Ｂ  垂木部材
２ａ  ウェブ部
２ｂ    フランジ部
２ｃ    リップ部
２１  鍔部
２２  溝部
２３  吊子取付部
２４  切起こし片
２５  ガイド溝
３  ８０  ドリルビス
３０  吊子
４０  ４１  屋根板
４２  屋根板の係合部
５０  ５５  母屋等の下地材
６０  防水シート
７０  継手
７１  継手カバー
８１  ドリルビスの頭部
Ｄ    凹溝１１の深さ寸法
ｈ  垂木部材２０の高さ寸法
【図１】
0003544394.tif 000002
【図２】
0003544394.tif 000003
【図３】
0003544394.tif 000004
【図４】
0003544394.tif 000005
【図５】
0003544394.tif 000006